(57)【特許請求の範囲】
【請求項１】
絵文字に対応する読み仮名及び抑揚パターンを格納する辞書データ格納部と、
前記辞書データ格納部を参照して、文字データに埋め込まれた絵文字に対応する読み仮名及び抑揚パターンを抽出し、抽出した読み仮名及び抑揚パターンを前記文字データに埋め込んだ文章が意味の通じるものとなっているか否かを判定し、意味の通じるものとなっている抑揚パターンの埋め込まれた文字データを出力する制御部と、
前記制御部からの文字データを、当該文字データに埋め込まれている抑揚パターンを反映した音声データに変換する音声合成部と、
を備える文字変換装置。
【請求項２】
文字データに埋め込まれた絵文字を検出する絵文字検出手順と、
絵文字に対応する読み仮名及び抑揚パターンを格納する辞書データ格納部を参照し、絵文字に対応する読み仮名及び抑揚パターンを抽出する読み候補検索手順と、
抽出した読み仮名及び抑揚パターンを前記文字データに埋め込んだ文章が意味の通じるものとなっているか否かを判定し、意味の通じるものとなっている抑揚パターンの埋め込まれた文字データを出力する判定手順と、
前記判定手順で出力した文字データを、当該文字データに埋め込まれている抑揚パターンを反映した音声データに変換する音声合成手順と、
を順に有する文字変換方法。
【請求項３】
文字データに埋め込まれた絵文字を検出する絵文字検出ステップと、
絵文字に対応する読み仮名及び抑揚パターンを格納するメモリを参照し、絵文字に対応する読み仮名及び抑揚パターンを抽出する読み候補検索ステップと、
抽出した読み仮名及び抑揚パターンを前記文字データに埋め込んだ文章が意味の通じるものとなっているか否かを判定し、意味の通じるものとなっている抑揚パターンの埋め込まれた文字データを出力する判定ステップと、
前記判定ステップで出力した文字データを、当該文字データに埋め込まれている抑揚パターンを反映した音声データに変換する音声合成ステップと、
を順にコンピュータに実行させる文字変換プログラム。
【発明の詳細な説明】
【技術分野】
【０００１】
本発明は、絵文字と音声データとを変換する文字変換装置及び文字変換方法に関する。
【背景技術】
【０００２】
近年、携帯電話で送受信する電子メールの文章表現は、絵文字で感情を表現したり、絵文字をある単語の代用として利用したりすることが多くなっている。そのようななか、電子メールの文書内の単語を絵文字に置き換える文字変換装置が提案されている（例えば、特許文献１参照。）。特許文献１の文字変換装置は、漢字・絵文字変換部と、表示部と、を備え、以下のように動作する。漢字・絵文字変換部は、電子メール文章内の単語を絵文字に置き換える。表示部は、漢字・絵文字変換部からの文章を表示する。これにより、受信した電子メール文章をコンパクト化して表示する。
【０００３】
また、電子メールを音声で読み上げる文字変換装置が提案されている（例えば、特許文献２及び３参照。）。特許文献２の文字変換装置は、音声特徴抽出回路と、音声特徴データ管理回路と、音声合成回路と、を備え、以下のように動作する。音声特徴抽出回路は、ユーザが読み上げた文章の音声信号から音声特徴データを抽出する。音声特徴データ管理回路は、ユーザの音声特徴データを登録管理する。音声合成回路は、電子メールを取り出して単語辞書とのマッチングを行い、マッチングした単語のアクセントと抑揚を付加して、音声特徴データに基づき音声合成して読み出す。これにより、電波状態の悪い状況においても電子メールを音声で読み出すことを可能とする。
【０００４】
特許文献３の文字変換装置は、テキストデコーダと、イントネーションデータベースと、音声合成回路と、を備え、以下のように動作する。テキストデコーダは、メモリ内のテキストデータを絵文字とその他の文字に分ける。イントネーションデータベースは、絵文字をイントネーション制御データに変換する。音声合成回路は、テキストデコーダからの文字データをイントネーション制御データに基づくイントネーションを有する音声信号に変換してスピーカへ出力する。これにより、抑揚のあるイントネーションによってメールを読み上げることを可能とする。
【先行技術文献】
【特許文献】
【０００５】
【特許文献１】特開２００１−１５５０１４号公報
【特許文献２】特開２００１−１５６７０３号公報
【特許文献３】特開２００３−２２３１８１号公報
【発明の概要】
【発明が解決しようとする課題】
【０００６】
携帯通信端末のメール読み上げ機能において、絵文字は読み飛ばされてしまうと、一部の単語が欠落したり、また、絵文字による感情を音声で表現することはできず、電子メールの送信者の意図を正しく表現することは困難になる。
【０００７】
特許文献１においては、メール読み上げ機能を有さないため、電子メールを読み上げることはできない問題がある。
【０００８】
また、特許文献２及び３においては、絵文字についてはメール読み上げ機能を有さず、文章の内容が考慮されていないため、メール送信者の意図を正しく表現できない場合が発生する問題があった。
【０００９】
そこで、本発明では、メール送信者の意図を正しく表現できる文字変換装置、文字変換方法、又は文字変換プログラムの提供を目的とする。
【課題を解決するための手段】
【００１０】
本願発明の文字変換装置は、絵文字に対応する読み仮名及び抑揚パターンを格納する辞書データ格納部と、前記辞書データ格納部を参照して、文字データに埋め込まれた絵文字に対応する読み仮名及び抑揚パターンを抽出し、抽出した読み仮名及び抑揚パターンを前記文字データに埋め込んだ文章が意味の通じるものとなっているか否かを判定し、意味の通じるものとなっている抑揚パターンの埋め込まれた文字データを出力する制御部と、前記制御部からの文字データを、当該文字データに埋め込まれている抑揚パターンを反映した音声データに変換する音声合成部と、を備える。
【００１２】
本願発明の文字変換方法は、文字データに埋め込まれた絵文字を検出する絵文字検出手順と、絵文字に対応する読み仮名及び抑揚パターンを格納する辞書データ格納部を参照し、絵文字に対応する読み仮名及び抑揚パターンを抽出する読み候補検索手順と、抽出した読み仮名及び抑揚パターンを前記文字データに埋め込んだ文章が意味の通じるものとなっているか否かを判定し、意味の通じるものとなっている抑揚パターンの埋め込まれた文字データを出力する判定手順と、前記判定手順で出力した文字データを、当該文字データに埋め込まれている抑揚パターンを反映した音声データに変換する音声合成手順と、を順に有する。
【００１４】
本願発明の文字変換プログラムは、文字データに埋め込まれた絵文字を検出する絵文字検出ステップと、絵文字に対応する読み仮名及び抑揚パターンを格納するメモリを参照し、絵文字に対応する読み仮名及び抑揚パターンを抽出する読み候補検索ステップと、抽出した読み仮名及び抑揚パターンを前記文字データに埋め込んだ文章が意味の通じるものとなっているか否かを判定し、意味の通じるものとなっている抑揚パターンの埋め込まれた文字データを出力する判定ステップと、前記判定ステップで出力した文字データを、当該文字データに埋め込まれている抑揚パターンを反映した音声データに変換する音声合成ステップと、を順にコンピュータに実行させる。
【発明の効果】
【００１６】
本発明によれば、メール送信者の意図を正しく表現できる文字変換装置、文字変換方法、及び文字変換プログラムを提供することができる。
【図面の簡単な説明】
【００１７】
【図１】実施形態１に係る文字変換装置の一例を示す。
【図２】辞書データの一例を示す。
【図３】実施形態１に係る文字列変換プログラムの一例を示す。
【図４】実施形態１に係る文字変換方法の一例を示す。
【図５】実施形態２に係る文字変換装置の一例を示す。
【図６】実施形態２に係る文字変換方法の一例を示す。
【図７】実施形態３に係る文字変換装置の一例を示す。
【図８】実施形態３に係る文字列変換プログラムの一例を示す。
【図９】実施形態３に係る文字変換方法の一例を示す。
【図１０】実施形態４に係る文字変換方法の一例を示す。
【発明を実施するための形態】
【００１８】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００１９】
（実施形態１）
図１に、本実施形態に係る文字変換装置の一例を示す。本実施形態に係る文字変換装置は、辞書データ格納部２１と、制御部１３と、音声合成部１４と、を備える。
【００２０】
辞書データ格納部２１は、辞書データを格納する。辞書データは、絵文字に対応する読み仮名若しくは抑揚パターン又はこれらの両方である。絵文字は、文字コードが割り当てられている絵、又は文字コードが割り当てられている文字若しくは記号を用いて表された絵である。文字コードが割り当てられている絵は、例えば、「★」や「♪」である。文字コードが割り当てられている文字若しくは記号を用いて表された絵は、例えば、「；；」や「＾＾」である。
【００２１】
図２に、辞書データの一例を示す。絵文字Ａは、読み仮名「はーと」及び抑揚パターンαと対応している。絵文字Ｂは、読み仮名「ひらめき」及び抑揚パターンγと対応している。絵文字Ｃは、読み仮名「らぶらぶ」及び抑揚パターンαと対応している。絵文字Ｄは、読み仮名「あめ」、読み仮名「かさ」、及び抑揚パターンβと対応している。
【００２２】
制御部１３は、辞書データ格納部２１を参照して、文字データに埋め込まれた絵文字に対応する読み仮名又は抑揚パターンの少なくとも一方を抽出する。そして、制御部１３は、抽出した読み仮名又は抑揚パターンを文字データに埋め込んだ文章が意味の通じるものとなっているか否かを判定し、意味の通じるものとなっている文字データを出力する。音声合成部１４は、制御部１３からの文字データを、当該文字データに埋め込まれている抑揚パターンを反映した音声データに変換する。
【００２３】
本実施形態に係る文字変換装置は、本実施形態に係る文字列変換プログラムをコンピュータに実行させることで実現してもよい。図３に、本実施形態に係る文字列変換プログラムの一例を示す。本実施形態に係る文字列変換プログラムは、絵文字検出ステップＳ２１１と、読み候補検索ステップＳ２１２と、判定ステップＳ２１３と、音声合成ステップＳ２１４と、を順にコンピュータに実行させる。
【００２４】
絵文字検出ステップＳ２１１では、文字データに埋め込まれた絵文字を検出する。読み候補検索ステップＳ２１２では、絵文字に対応する読み仮名若しくは抑揚パターン又はこれらの両方を格納するメモリを参照し、絵文字に対応する読み仮名又は抑揚パターンの少なくとも一方を抽出する。判定ステップＳ２１３では、抽出した読み仮名又は抑揚パターンを文字データに埋め込んだ文章が意味の通じるものとなっているか否かを判定し、意味の通じるものとなっている文字データを出力する。音声合成ステップＳ２１４では、判定ステップＳ２１３で出力した文字データを、当該文字データに埋め込まれている抑揚パターンを反映した音声データに変換する。これにより、本実施形態に係る文字変換装置を実現することができる。
【００２５】
本実施形態に係る文字変換装置は、本実施形態に係る文字変換方法を実行する。図４に、本実施形態に係る文字変換方法の一例を示す。本実施形態に係る文字変換方法では、絵文字検出手順Ｓ１１１と、読み候補検索手順Ｓ１１２と、判定手順Ｓ１１３と、音声合成手順Ｓ１１４と、を順に有する。
【００２６】
絵文字検出手順Ｓ１１１では、文字データに埋め込まれた絵文字を検出する。読み候補検索手順Ｓ１１２では、絵文字に対応する読み仮名若しくは抑揚パターン又はこれらの両方を格納する辞書データ格納部２１を参照し、絵文字に対応する読み仮名又は抑揚パターンの少なくとも一方を抽出する。判定手順Ｓ１１３では、抽出した読み仮名又は抑揚パターンを文字データに埋め込んだ文章が意味の通じるものとなっているか否かを判定し、意味の通じるものとなっている文字データを出力する。音声合成手順Ｓ１１４では、判定手順Ｓ１１３で出力した文字データを、当該文字データに埋め込まれている抑揚パターンを反映した音声データに変換する。
【００２７】
本実施形態では、文字入力時の辞書データを利用して、メール本文に入っている絵文字をテキストデータに変換し、メールの文章を補う。このとき、本実施形態では、制御部１３を備え、判定手順Ｓ１１３を実行するため、意味の通じるものとなっている文字データを出力することができる。このため、相手の意図を正確に表現した文章を、絵文字に対応した感情を表す抑揚データを加えて抑揚をもたせて読み上げることができる。したがって、メール送信者の意図を正しく表現できるメール読み上げ機能を有する文字変換装置、文字変換方法、及び文字変換プログラムを提供することができる。
【００２８】
（実施形態２）
図５に、本実施形態に係る文字変換装置の一例を示す。本実施形態に係る文字変換装置は、実施形態１で説明した文字変換装置に加え、さらに、アンテナ１１と、無線部１２と、メモリ１５と、スピーカ１６と、マイク１７と、音声解析部１８と、表示部１９と、を備える。
【００２９】
アンテナ１１は、ネットワークと通信メッセージをやりとりする。無線部１２は、無線制御を行う。制御部１３は、端末の動作を制御する。音声合成部１４は、読み取った内容を音声に変換する。メモリ１５は、辞書データや音声データを格納する。マイク１７は、音声を入力する。音声解析部１８は、マイク１７から入力された音声を解析する。表示部１９は、制御部１３から出力された文字データを表示したり、音声解析部１８での解析結果を表示したりする。
【００３０】
メモリ１５は、実施形態１で説明した辞書データ格納部２１を備える。辞書データには、読み仮名に対応した絵文字および、その読み仮名に対応した、「うれしい」「悲しい」などの感情を表現する抑揚パターンデータが保存されている。これにより、文字入力時に、読み仮名を入力した際に、文字変換候補として絵文字を表示することができる。
【００３１】
本実施形態に係る文字変換装置は、本実施形態に係る文字変換方法を実行する。図６に、本実施形態に係る文字変換方法の一例を示す。手順Ｓ３０１では、受信メールを読み上げるために、メモリ１５に保存されているメールデータを制御部１３にて文字解析を行う。手順Ｓ３０２では、解析の際はそのままで読み上げ可能なテキストデータか、絵文字データがあるか分類する。手順Ｓ３０３では、テキストデータの場合は、そのまま制御部１３から音声合成部１４に出力し、音声データに変換する。手順Ｓ３０４では、絵文字データがあったとき、メモリ１５に格納されている辞書データから、該当する絵文字に対応した読み仮名および抑揚パターンを読みだす。
【００３２】
手順Ｓ３０５では、図４に示す判定手順Ｓ１１３を実行する。例えば、制御部１３は、読みだした読み仮名を電子メールの文章に当てはめ、文章の意味がつながるか解析する。文章の意味がつながった場合は手順Ｓ３０６に移行し、文章の意味がつながらない場合は手順Ｓ３０７に移行する。
【００３３】
手順Ｓ３０６では、絵文字の読み仮名とし、制御部１３から音声合成部１４に出力し、音声データに変換する。
【００３４】
手順Ｓ３０７では、文章を補う絵文字ではないと判断し、音声合成部１４に読み仮名データを出力しない。また、メモリ１５から読みだした辞書データ内の抑揚パターンは、絵文字データ周辺の文章読み上げ時のイントネーション情報として制御部１３から音声合成部１４に送付し、音声合成部１４にて抑揚を合成する。
【００３５】
手順Ｓ３０８では、メール本文のすべての解析が終わったか否かを判定する。終わっていれば手順Ｓ３０９に移行し、終わっていなければ手順Ｓ３０１へ移行する。手順Ｓ３０９では、音声合成部１４より読み解析を行った抑揚の音声データをスピーカ１６に出力し、音声を再生する。
【００３６】
ここで、手順Ｓ３０５において、抽出した読み仮名又は抑揚パターンを文字データに埋め込んだ文章が意味の通じるものとなっている場合、抽出した読み仮名又は抑揚パターンの埋め込まれた文字データを出力する。一方、抽出した読み仮名又は抑揚パターンを文字データに埋め込んだ文章が意味の通じるものとなっていない場合、抽出した読み仮名又は抑揚パターンの埋め込まれていない文字データを出力してもよい。これにより、意味の通じない文字データが作成されるのを防ぐことができる。
【００３７】
例えば、制御部１３は、抽出した読み仮名又は抑揚パターンを文字データに埋め込んだ文章が意味の通じるものとなっている場合、抽出した読み仮名又は抑揚パターンの埋め込まれた文字データを出力し、抽出した読み仮名又は抑揚パターンを文字データに埋め込んだ文章が意味の通じるものとなっていない場合、抽出した読み仮名又は抑揚パターンの埋め込まれていない文字データを出力する。これにより、意味の通じない文字データが作成されるのを防ぐことができる。
【００３８】
なお、本実施形態に係る文字変換装置は、図３に示す文字列変換プログラムをコンピュータに実行させることで実現してもよい。例えば、手順Ｓ３０５において、判定ステップＳ２１３を実行する。判定ステップＳ２１３において、抽出した読み仮名又は抑揚パターンを文字データに埋め込んだ文章が意味の通じるものとなっている場合、抽出した読み仮名又は抑揚パターンの埋め込まれた文字データを出力し、抽出した読み仮名又は抑揚パターンを文字データに埋め込んだ文章が意味の通じるものとなっていない場合、抽出した読み仮名又は抑揚パターンの埋め込まれていない文字データを出力する。これにより、本実施形態に係る文字変換装置を実現することができる。
【００３９】
（実施形態３）
本実施形態では、辞書データを利用して、絵文字をテキストデータに変換し、感情を表す抑揚データを加えることのできる発明を、音声入力にてメールを作成するときにも利用することを特徴とする。
【００４０】
図７に、本実施形態に係る文字変換装置の一例を示す。本実施形態に係る文字変換装置は、辞書データ格納部２１と、制御部１３と、音声解析部１８と、を備える。
【００４１】
辞書データ格納部２１は、辞書データを格納する。辞書データは、図２に示すように、絵文字に対応する読み仮名若しくは抑揚パターン又はこれらの両方である。
【００４２】
音声解析部１８は、音声データを文字データに変換する。制御部１３は、音声解析部１８の変換する文字データから、辞書データ格納部２１に格納されている読み仮名を検出し、検出した読み仮名に対応する絵文字を抽出し、抽出した絵文字を文字データに埋め込んだ文章が意味の通じるものとなっているか否かを判定し、意味の通じるものとなっている文字データを出力する。これにより、音声データで入力された文章を、絵文字の含まれている適切な文字データで出力することができる。
【００４３】
本実施形態に係る文字変換装置は、本実施形態に係る文字列変換プログラムをコンピュータに実行させることで実現してもよい。図８に、本実施形態に係る文字列変換プログラムの一例を示す。本実施形態に係る文字列変換プログラムは、音声解析ステップＳ２２１と、絵文字候補検出ステップＳ２２２と、判定ステップＳ２２３と、を順にコンピュータに実行させる。
【００４４】
音声解析ステップＳ２２１では、音声データを文字データに変換する。絵文字候補検出ステップＳ２２２では、絵文字に対応する読み仮名若しくは抑揚パターン又はこれらの両方を格納するメモリ１５を参照し、音声解析ステップ音声解析ステップＳ２２１で変換した文字データから、絵文字に対応する読み仮名を検出する。判定ステップＳ２２３では、検出した読み仮名に対応する絵文字を抽出し、抽出した絵文字を文字データに埋め込んだ文章が意味の通じるものとなっているか否かを判定し、意味の通じるものとなっている文字データを出力する。これにより、本実施形態に係る文字変換装置を実現することができる。
【００４５】
本実施形態に係る文字変換装置は、本実施形態に係る文字変換方法を実行する。図９に、本実施形態に係る文字変換方法の一例を示す。本実施形態に係る文字変換方法では、音声解析手順Ｓ１２１と、絵文字候補検出手順Ｓ１２２と、判定手順Ｓ１２３と、を順に有する。
【００４６】
音声解析手順Ｓ１２１では、音声データを文字データに変換する。絵文字候補検出手順Ｓ１２２では、音声解析手順Ｓ１２１で変換した文字データから、絵文字に対応する読み仮名若しくは抑揚パターン又はこれらの両方を格納する辞書データ格納部２１に格納されている読み仮名を検出する。判定手順Ｓ１２３では、検出した読み仮名に対応する絵文字を抽出し、抽出した絵文字を文字データに埋め込んだ文章が意味の通じるものとなっているか否かを判定し、意味の通じるものとなっている文字データを出力する。これにより、音声データで入力された文章を、絵文字の含まれている適切な文字データで出力することができる。
【００４７】
本実施形態では、辞書データを利用して、音声データを絵文字の入っているテキストデータに変換し、メールの文章を作成する。このとき、本実施形態では、制御部１３を備え、判定手順Ｓ１２３を実行するため、意味の通じるものとなっている文字データを出力することができる。このため、自己の意図を正確に表現した文章を、絵文字に含まれる文字データに変換することができる。したがって、メール送信者の意図を正しく表現できるメール作成機能を有する文字変換装置及び文字変換方法を提供することができる。
【００４８】
（実施形態４）
本実施形態に係る文字変換装置は、図５に示す文字変換装置において、文字入力時の辞書データを、音声入力にてメールを作成するときにも利用することを特徴とする。本実施形態に係る文字変換装置は、実施形態３で説明した辞書データ格納部２１と、制御部１３と、音声解析部１８と、を備える。本実施形態に係る文字変換装置は、図８に示す文字列変換プログラムをコンピュータに実行させることで実現してもよい。
【００４９】
本実施形態に係る文字変換装置は、本実施形態に係る文字変換方法を実行する。図１０に、本実施形態に係る文字変換方法の一例を示す。手順Ｓ４０１では、マイク１７より音声データを入力する。
【００５０】
手順Ｓ４０２では、実施形態３で説明した音声解析手順Ｓ１２１を実行する。すなわち、音声解析部１８にて音声データをテキストデータに変換し、制御部１３に出力する。また、その音声の抑揚パターンもあわせて制御部１３に出力する。
【００５１】
手順Ｓ４０３では、実施形態３で説明した絵文字候補検出手順Ｓ１２２を実行する。例えば、制御部１３は、メモリ１５の辞書データを読み出し、テキストデータから絵文字に変換可能な読み候補データがあるか検索する。対応する絵文字があった場合は手順Ｓ４０４へ移行し、対応する絵文字がなければ手順Ｓ４０５へ移行する。手順Ｓ４０４では、テキストデータを絵文字に変換する。
【００５２】
手順Ｓ４０５では、音声データで文末であるか否かを判定する。文末であるときは手順Ｓ４０６へ移行し、文末でないときは手順Ｓ４０１へ移行する。手順Ｓ４０６では、音声解析部１８から出力されていた抑揚パターンに当てはまる絵文字があるか、制御部１３からメモリ１５の辞書データを介して検索する。
【００５３】
手順Ｓ４０７では、実施形態３で説明した判定手順Ｓ１２３を実行する。そして、検索された絵文字から、変換したテキストデータに合う絵文字を制御部１３にて選定し、テキストデータの文末に加える。手順Ｓ４０８では、音声データから絵文字を含むテキストデータに変換されたメール文章は、制御部１３から表示部１８へ出力し、表示部１８にて表示する。
【００５４】
ここで、手順Ｓ４０２すなわち実施形態３で説明した音声解析手順Ｓ１２１では、音声データの抑揚パターンを検出してもよい。この場合、手順Ｓ４０７の判定手順Ｓ１２３において、手順Ｓ４０２の音声解析手順Ｓ１２１で検出した抑揚パターンに当てはまる絵文字を辞書データに格納されている絵文字からさらに抽出する。これにより、抑揚パターンに対応した絵文字を用いた文字データを作成することができる。したがって、メール送信者の意図を正しく表現することができる。
【００５５】
例えば、音声解析部１８は、音声データの抑揚パターンを検出する。そして、制御部１３は、音声解析部１８の検出する抑揚パターンに当てはまる絵文字を辞書データ格納部２１に格納されている絵文字からさらに抽出する。これにより、抑揚パターンに対応した絵文字を用いた文字データを作成することができる。したがって、メール送信者の意図を正しく表現することができる。
【００５６】
なお、本実施形態に係る文字変換装置は、図８に示す文字列変換プログラムをコンピュータに実行させることで実現してもよい。例えば、音声解析ステップＳ２２１において、音声データの抑揚パターンを検出する。そして、判定ステップＳ２２３において、音声解析ステップＳ２２１で検出した抑揚パターンに当てはまる絵文字をメモリ１５に格納されている絵文字からさらに抽出する。これにより、抑揚パターンに対応した絵文字を用いた文字データを作成することができる。したがって、メール送信者の意図を正しく表現することができる。
【００５７】
また、手順Ｓ４０７すなわち実施形態３で説明した判定手順Ｓ１２３において、抽出した絵文字を文字データに埋め込んだ文章が意味の通じるものとなっている場合、抽出した絵文字の埋め込まれた文字データを出力する。一方、抽出した絵文字を文字データに埋め込んだ文章が意味の通じるものとなっていない場合、抽出した絵文字の埋め込まれていない文字データを出力してもよい。これにより、意味の通じない文字データが作成されるのを防ぐことができる。
【００５８】
例えば、制御部１３は、抽出した絵文字を文字データに埋め込んだ文章が意味の通じるものとなっている場合、抽出した絵文字の埋め込まれた文字データを出力する。一方、抽出した絵文字を文字データに埋め込んだ文章が意味の通じるものとなっていない場合、抽出した絵文字の埋め込まれていない文字データを出力する。これにより、意味の通じない文字データが作成されるのを防ぐことができる。
【００５９】
なお、本実施形態に係る文字変換装置は、図８に示す文字列変換プログラムをコンピュータに実行させることで実現してもよい。例えば、判定ステップＳ２２３において、抽出した絵文字を文字データに埋め込んだ文章が意味の通じるものとなっている場合、抽出した絵文字の埋め込まれた文字データを出力する。一方、抽出した絵文字を文字データに埋め込んだ文章が意味の通じるものとなっていない場合、抽出した絵文字の埋め込まれていない文字データを出力する。これにより、意味の通じない字データが作成されるのを防ぐことができる。
【産業上の利用可能性】
【００６０】
本発明は、情報通信産業に適用することができる。
【符号の説明】
【００６１】
１１：アンテナ
１２：無線部
１３：制御部
１４：音声合成部
１５：メモリ
１６：スピーカ
１７：マイク
１８：音声解析部
１９：表示部
２１：辞書データ格納部
【図１】
0005545711.tif 000002
【図２】
0005545711.tif 000003
【図３】
0005545711.tif 000004
【図４】
0005545711.tif 000005
【図５】
0005545711.tif 000006
【図６】
0005545711.tif 000007
【図７】
0005545711.tif 000008
【図８】
0005545711.tif 000009
【図９】
0005545711.tif 000010
【図１０】
0005545711.tif 000011